(57)【要約】【課題】組み立て状態で差込片がサイドフラップにしっかり係合し、しかも蓋部に隙間が発生しない包装用箱を提供する。【解決手段】差込片３６は、基端部両端から内向きに延びる切り込み３８，３９と、その先端同士を結ぶ差込用折罫線４０とで蓋片３２と区切られる。差込片３６の両側端部である係合部４２，４４は、各側方の端縁４２ａ，４４ａが蓋片３２の両側端辺を超えて外向きに突出する形状である。差込片３６は、差込用折罫線４０で折り曲げられて筒体８４の内側に差し込まれ、中央部４６が側面板１８の内側に重なる。差込片３６の係合部４２，４４は、端縁４２ａ，４４ａが側面板１６，２０の内側に係止されて、側面板１６と１８又は側面板１８と２０の角部の内側に斜めに配置される。切り込み３８，３９の中にサイドフラップ５８，７６の端部５８ａ，７６ａが入って係合し、筒体８４の開口が蓋片３２によって閉鎖される。【選択図】図１
2020090292.tif 000002
【特許請求の範囲】
【請求項１】
４つの側面を有した筒体の一端部に矩形の蓋片と一対のサイドフラップとが延設され、前記蓋片の先端部に差込片が延設され、組み立て状態で、前記サイドフラップを倒した外側に前記蓋片が重ねられ、前記差込片が前記筒体の内側に差し込まれて蓋部が形成される包装用箱において、
前記差込片は、基端部両端から内向きに延びる一対の切り込みと前記一対の切り込みの先端同士を真っすぐ結ぶように設けられた差込用折罫線とで前記蓋片と区切られ、前記差込片の、前記一対の切り込みによって前記蓋片と区切られた部分である一対の係合部は、各側方の端縁間の長さが、前記筒体の互いに対向する側面であって前記蓋片の両側に位置する側面の内面間の間隔よりも長く、
組み立て状態で、前記差込片は、前記差込用折罫線で折り曲げられて前記筒体の内側に差し込まれ、前記差込片の、前記一対の係合部以外の部分である中央部は、前記筒体の一側面の内側に重なり、前記一対の係合部は、前記端縁が前記筒体の他の側面の内側に係止されて、前記一側面と前記他の側面とが連続する角部の内側に斜めに配置され、前記一対の切り込みの中に前記サイドフラップの端部が入って係合し、前記筒体の開口が前記蓋片によって閉鎖されることを特徴とする包装用箱。
【請求項２】
一対の係合部は、各側方の端縁が、前記蓋片の両側端辺を超えて外向きに突出する形状である請求項１記載の包装用箱。
【請求項３】
箱体形成片は、合成樹脂により形成されている請求項１記載の包装用箱。
【発明の詳細な説明】
【技術分野】
【０００１】
この発明は、筒体の一端部を開閉する蓋部を有した包装用箱に関する。
【背景技術】
【０００２】
従来から、４つの側面を有した筒体の一端部に矩形の蓋片と一対のサイドフラップとが延設され、蓋片の先端部に差込片が延設され、組み立て状態で、サイドフラップを倒した外側に蓋片が重ねられ、差込片が筒体の内側に差し込まれて蓋部が形成される包装用箱があった。
【０００３】
例えば、特許文献１の図１には、蓋片と差込片との境界両端に一対の切れ目が設けられ、組み立て状態で、切れ目の中にサイドフラップの端部が入って係合し、蓋片が閉鎖状態に保持される構造（以下、第一の構造と称する）が記載されている。第一の構造の差込片は、幅が蓋片の幅よりも短い。また、サイドフラップの端部が切れ目の中に深く入ってしっかり係合するように、切れ目は、蓋片と差込片とを区切る折罫線よりも差込片の先端側に少しずらして設けられている。
【０００４】
特許文献１の図２には、差込片の左右両側に、蓋片の両側端辺を超えて突出する一対の係止突部が設けられ、筒体の２つの角部に一対の係止受部が設けられ、組み立て状態で、係止突部が係止受部に係合し、蓋片が閉鎖状態に保持される構造（以下、第二の構造と称する）が記載されている。第二の構造の係止受部は、例えば、筒体の角部近傍をコの字形に切り欠いて形成した孔により設けられる。
【先行技術文献】
【特許文献】
【０００５】
【特許文献１】特開２００１−３０１７４１号公報
【発明の概要】
【発明が解決しようとする課題】
【０００６】
しかし、特許文献１に記載された第一の構造は、組み立て状態で、差込片が近接する筒体の一側面と差込片との間に隙間が発生するので、筒体の一端部が完全に閉鎖されず、埃が入りやすい。また、第二の構造は、組み立て状態で、差込片の係合突部や筒体の係合受部が筒体の側方に突出するため、複数個の箱体を重ねたり並べたりして陳列する時に、この突出する部分が邪魔になる。さらに、係合受部による透孔も筒体の側方に表れるので、埃も侵入しやすい。また、箱体単体としての見栄えも良くない。
【０００７】
この発明は、上記背景技術に鑑みて成されたものであり、組み立て状態で差込片がサイドフラップにしっかり係合し、しかも蓋部に隙間が発生しない包装用箱を提供することを目的とする。
【課題を解決するための手段】
【０００８】
本発明は、４つの側面を有した筒体の一端部に矩形の蓋片と一対のサイドフラップとが延設され、前記蓋片の先端部に差込片が延設され、組み立て状態で、前記サイドフラップを倒した外側に前記蓋片が重ねられ、前記差込片が前記筒体の内側に差し込まれて蓋部が形成される包装用箱である。前記差込片は、基端部両端から内向きに延びる一対の切り込みと前記一対の切り込みの先端同士を真っすぐ結ぶように設けられた差込用折罫線とで前記蓋片と区切られ、前記差込片の、前記一対の切り込みによって前記蓋片と区切られた部分である一対の係合部は、各側方の端縁間の長さが、前記筒体の互いに対向する側面であって前記蓋片の両側に位置する側面の内面間の間隔よりも長い形状である。
【０００９】
この包装用箱は、組み立て状態で、前記差込片は、前記差込用折罫線で折り曲げられて前記筒体の内側に差し込まれ、前記差込片の、前記一対の係合部以外の部分である中央部は、前記筒体の一側面の内側に重なり、前記一対の係合部は、前記端縁が前記筒体の他の側面の内側に係止されて、前記一側面と前記他の側面とが連続する角部の内側に斜めに配置され、前記一対の切り込みの中に前記サイドフラップの端部が入って係合し、前記筒体の開口が前記蓋片によって閉鎖される。
【００１０】
また、一対の係合部は、各側方の端縁が、前記蓋片の両側端辺を超えて外向きに突出する形状である。さらに、前記差込片の前記一対の係合部は、各先端角部が丸く面取りされている。箱体形成片は、組み立て状態で前記差込片の係合部が折れない程度の弾性を有した合成樹脂等の基材により形成されていることが好ましい。
【発明の効果】
【００１１】
本発明の包装用箱は、構造が簡単で容易に組み立てることができる。また、組み立て状態で、差込片がサイドフラップにしっかり係合して安定な蓋部が形成され、しかも、蓋部に隙間が発生しないので埃が入りにくい。
【図面の簡単な説明】
【００１２】
【図１】この発明の包装用箱の一実施形態を構成する箱体形成片を表面側から見た展開図（ａ）、蓋片の一部及び差込片を拡大した図（ｂ）である。
【図２】この実施形態の包装用箱の組み立て途中の状態を示す斜視図（ａ）。組み立て状態を示す斜視図（ｂ）である。
【図３】この実施形態の包装用箱の組み立て状態を示す平面図（ａ）、蓋片を透視した平面図（ｂ）である。
【発明を実施するための形態】
【００１３】
以下、この発明の包装用箱の一実施形態について図面に基づいて説明する。この実施形態の包装用箱１０は、図２（ｂ）に示す略直方体の箱体であり、厚紙や合成樹脂シート等の基材による一枚の箱体形成片１２を組み立てることによって形成される。
【００１４】
図１（ａ）は、箱体形成片１２を表面側から見た展開図であり、箱体形成片１２は、互いに平行に連接された長方形の側面板１４，１６，１８，２０を有している。連接方向と直交する幅方向の長さは、側面板１４，１６，２０は同じであるが、側面板１８は他の側面板１４，１６，２０よりも少し長く、上側に突出している（突出部１８ａ）。連接方向の長さは、側面板１４，１８が長くて互いにほぼ等しく、側面板１６，２０が短くて互いにほぼ等しい。
【００１５】
側面板１４の、側面板１６と反対側の縁部には、組み立て状態で側面板２０の表面に糊付けされる糊付片２２が延設されている。そして、糊付片２２と側面板１４，１６，１８，２０は、各々折罫線２４，２６，２８，３０で区切られている。
【００１６】
なお、側面板１８の突出部１８ａは、情報表示のスペースを広くしたり、フックに吊り下げるための引っ掛け部を設けたりするための部分であり、突出部１８ａが必要なければ、側面板１８を側面板１４と同じ形状にすることができる。
【００１７】
側面板１４の、連接方向に対して直角な方向の一端部（突出部１８ａが設けられている側の端部）には、矩形の蓋片３２が折罫線３４で区切られて延設されている。蓋片３２の延出長さは、側面板１４，２０の連接方向の長さとほぼ同じである。さらに、蓋片３２の先端部には、差込片３６が延設されている。
【００１８】
差込片３６は、図１（ｂ）に示すように、基端部両端から内向きに延びる一対の切り込み３８，３９と、一対の切り込み３８，３９の先端同士を真っすぐ結ぶように設けられた差込用折罫線４０とで、蓋片３２と区切られている。差込片３６の、一対の切り込み３８，３９によって蓋片３２と区切られた部分である一対の係合部４２，４４は、各先端角部が丸く面取りされ、各側方の端縁４２ａ，４４ａが蓋片３２の両側端辺を超えて外向きに突出している。中央部４６は、差込片３６の、一対の係合部４２，４４以外の部分である。
【００１９】
側面板１４の、折罫線３４と反対側の端部には、変形した台形状の第一底片４８が折罫線５０で区切られて延設されている。第一底片４８の延出長さ（折罫線５０から折罫線５０に対して平行な端部４８ａまでの長さ）は、包装用箱１０の組み立て状態で端部４８ａが底部の中心線を超える長さに設定されている。また、第一底片４８の側面板１６に近い傾斜した辺の途中には、略三角形の糊付片５２が折罫線５４で区切られて延設されている。折罫線５０から、糊付片５２の、端部４８ａ側の基端部までの長さは、包装用箱１０の組み立て状態で底部の中心線付近に位置する長さに設定されている。第一底片４８の、糊付片５２の端部４８ａ側に隣接する部分には、底部の組み立てを維持するために後述する第二底片６６の切り欠き７４に係止される小さい切り欠き部５６が設けられている。
【００２０】
側面板１６の、折罫線３４と隣接する端部には、台形状のサイドフラップ５８が折罫線６０で区切られて延設されている。サイドフラップ５８は、突出部１８ａに近い側端部が少し膨出しており、この部分が、組み立て状態で切り込み３９の中に入る端部５８ａとなる。側面板１６の、折罫線６０と反対側の端部には、略三角形状のフラップ６２が折罫線６４で区切られて延設されている。
【００２１】
側面板１８の、突出部１８ａと反対側の端部には、変形した台形状の第二底片６６が折罫線６８で区切られて延設されている。第二底片６６の延出長さ（折罫線６８から折罫線６８に対して平行な端部６６ａまでの長さ）は、包装用箱１０の組み立て状態で端部６６ａが底部の中心線を超える長さに設定されている。第二底片６６の側面板２０に近い傾斜した辺の途中には、略三角形の糊付片７０が折罫線７２で区切られて延設されている。折罫線６８から、糊付片７０の、端部６６ａ側の基端部までの長さは、包装用箱１０の組み立て状態で底部の中心線付近に位置する長さに設定されている。第二底片６６の、糊付片７０の端部６６ａ側に隣接する部分には、底部の組み立てを維持するため第一底片４８の切り欠き部５６に係止される切り欠き部７４が設けられている。
【００２２】
側面板２０の、突出部１８ａと隣接する端部には、台形状のサイドフラップ７６が折罫線７８で区切られて延設されている。サイドフラップ７６は、突出部１８ａに近い側端部が少し膨出しており、この部分が、組み立て状態で切り込み３８の中に入る端部７６ａとなる。側面板２０の、折罫線７８と反対側の端部には、略三角形状のフラップ８０が折罫線８２で区切られて延設されている。
【００２３】
次に、この実施形態の包装用箱１０の組み立て方法の一例を説明する。なお、図２は箱体形成片１２の表面側を見たものであり、以下、箱体形成片１２の表面側が凸になる折り方を正折り、裏面側が凸になる折り方を逆折りと称する。
【００２４】
まず、折罫線５０，６４，６８，８２を正折りし、さらに糊付片５２の折罫線５４と、糊付片７０の折罫線７２をそれぞれ逆折りする。そして、糊付片５２の裏面に糊を塗布し、折罫線２６を正折りする。これにより、糊付片５２の裏面がフラップ６２の表面に糊付けされる。次に、糊付片２２の裏面に糊を塗布し、糊付片７０の裏面に糊を塗布した後、折罫線３０を正折りするとともに、糊付片２２を側面板２０の表面側に貼り合わせる。これにより糊付片７０の裏面がフラップ８０の表面に糊付けされ、糊付片２２の裏面が側面板２０の表面に糊付けされる。箱体形成片１２は、この折り畳み状態で出荷される。
【００２５】
次に、商品等を包装する工場等において、折罫線２４，２６，２８，３０を各々９０度に正折りし、側面板１４，１６，１８，２０及び糊付片２２で成る四角形の筒体８４を形成する操作を行う。すると、第一底片４８は側面板１４からフラップ６２とともに引き起こされて折罫線５０で直角に正折りされ、同時に第二底片６６は側面板１８からフラップ８０とともに引き起こされて折罫線６８で直角に正折りされる。そして、第一底片４８の切り欠き部５６と第二底片６６の切り欠き部７４が互いに係止され、逆戻りが防止された底部８６が自動的に形成され、図２（ａ）に示す状態となる。
【００２６】
蓋片３２側の開口部から商品等を中に入れた後は、折罫線６０でサイドフラップ５８を９０度に正折りし、折罫線７８でサイドフラップ７６を９０度に正折りする。そして、折罫線３４で蓋片３２を９０度に正折りし、差込片３６を差込用折罫線４０で９０度に正折りし、差込片３６を筒体８４の内側（側面板１８の内側）に差し込むと、蓋部８８が形成される。これで図２（ｂ）に示す組み立て状態となり、包装が完了する。
【００２７】
図３（ｂ）は、組み立て状態における差込片３６の様子を示している。差込片３６の中央部４６は、側面板１８（筒体８４の一側面）の内側に重なっており、中央部４６と側面板１８との間には隙間が発生しない。差込片３６の係合部４２は、端縁４２ａが側面板２０（筒体８４の他の側面）の内側に係止されて、側面板１８と側面板２０とが連続する角部の内側に斜めに配置される。そして、切り込み３８の中にサイドフラップ７６の端部７６ａが深く入り、係合部４２がサイドフラップ７６にしっかり係合する。
【００２８】
同様に、差込片３６の係合部４４は、端縁４４ａが側面板１６（筒体８４の他の側面）の内側に係止されて、側面板１８と側面板１６とが連続する角部の内側に斜めに配置される。そして、切り込み３９の中にサイドフラップ５８の端部５８ａが深く入り、係合部４４がサイドフラップ５８にしっかり係合する。
【００２９】
一対の係合部４２，４４は、筒体８４の互いに対向する側面１６，２０の内面間の間隔よりも各側方の端縁４２ａ，４４ａ間の長さが長いので、組み立て状態で、差込片３６は、サイドフラップ５８，７６の内側に湾曲して確実にサイドフラップ５８，７６に係止される。このとき、係合部４２，４４と中央部４６との境界部には、屈曲させようとする力が作用するので、係合部４２，４４が境界部で折れてしまわないように、箱体形成片１２の基材は、弾力性を有したものを選択することが好ましい。
【００３０】
以上説明したように、包装用箱１０は、構造が簡単で容易に組み立てることができる。また、組み立て状態で、差込片３６がサイドフラップ５８，７６にしっかり係合して安定な蓋部８８が形成され、しかも、筒体８４の開口が蓋片３２によって隙間なく閉鎖されるので埃が入りにくい。差込片３６の一対の係合部４２，４４は、各先端角部が丸く面取りされているので、端縁４２ａ，４４ａが蓋片３２の両側端辺を超えて外向きに突出していても、容易に側面１６，２０間に挿入される。そして、挿入とともに一対の係合部４２，４４が容易に撓んで、サイドフラップ５８，７６に確実に係止される。
【００３１】
なお、本発明の包装用箱は、上記実施形態に限定されるものではない。例えば、各部材の形状や大きさは内容物に合わせて適宜変更可能であり、また底部の構造も適宜変更可能である。
【符号の説明】
【００３２】
１０  包装用箱
１２  箱体形成片
１４，１６，１８，２０  側面板
３２  蓋片
３６  差込片
３８，３９  切り込み
４０  差込用折罫線
４２，４４  係合部
４２ａ，４４ａ  端縁
４６  中央部
５８，７６  サイドフラップ
５８ａ，７６ａ端部
８４  筒体
８８  蓋部
【図１】
2020090292.tif 000003
【図２】
2020090292.tif 000004
【図３】
2020090292.tif 000005